(57)【要約】      （修正有）【課題】手触りが柔らかく、面ファスナーのフックとしっかり接続できる、紙おむつの前部の付属的な複合構造体を提供する。【解決手段】紙おむつの前部の付属的な複合構造体が高分子フィルムが複合して形成されたサブストレート層２を含み、サブストレート層２の表面に熱可塑性ポリマーからなる繊維層４が複合される。サブストレート層２の表面に多くの凸部１が設置される。凸部１に複合された繊維層４がふわふわする状態であり、隣接する凸部１の間に形成された凹部３に複合された繊維層４が緊密に接着する状態である。高分子フィルムが複合して形成されたサブストレート層２が軽薄、柔軟、通気の特性を有するので、熱可塑性ポリマーからなる繊維層は、手触りが柔らかく、面ファスナーのフックとしっかりと接続できる。【選択図】図１０
0003204338.tif 000002
【実用新案登録請求の範囲】
【請求項１】
高分子フィルムが複合して形成されたサブストレート層を含み、該サブストレート層の表面に熱可塑性ポリマーからなる繊維層が複合されることを特徴とする紙おむつの前部の付属的な複合構造体。
【請求項２】
前記サブストレート層の表面に多くの凸部が設置されることを特徴とする、請求項１に記載の紙おむつの前部の付属的な複合構造体。
【請求項３】
前記繊維層が、熱可塑性ポリマーで合成された製織繊維又は非製織繊維からなることを特徴とする、請求項１又は２に記載の紙おむつの前部の付属的な複合構造体。
【請求項４】
前記凸部の形状が同じでもよく、同じでなくてもよいことを特徴とする、請求項３に記載の紙おむつの前部の付属的な複合構造体。
【請求項５】
前記凸部に複合された繊維層がふわふわする状態であり、隣接する凸部の間に形成された凹部に複合された繊維層が緊密に接着する状態であることを特徴とする、請求項２に記載の紙おむつの前部の付属的な複合構造体。
【請求項６】
前記サブストレート層が透明層であることを特徴とする、請求項１に記載の紙おむつの前部の付属的な複合構造体。
【請求項７】
前記サブストレート層に図案が印刷されることを特徴とする、請求項１又は６に記載の紙おむつの前部の付属的な複合構造体。
【請求項８】
前記サブストレート層の表面に設置された凸部が幾何学構造に設置されることを特徴とする、請求項４に記載の紙おむつの前部の付属的な複合構造体。
【請求項９】
前記サブストレート層の表面に設置された凸部が規則的に配列されてもよく、又は不規則的に配列されてもよいことを特徴とする、請求項８に記載の紙おむつの前部の付属的な複合構造体。
【請求項１０】
前記凸部の縦向が品という字によって配列され、横方向が直線によって配列され、左と右が４５°を成す斜線によって配列され、凸部の長さが２〜５ｍｍであり、幅が２〜５ｍｍであり、高さが１〜３ｍｍであり、サブストレート層は、透明であってもよく、透明ではなくてもよく、図案が印刷されることを特徴とする、請求項８に記載の紙おむつの前部の付属的な複合構造体。
【考案の詳細な説明】
【技術分野】
【０００１】
本考案は、紙おむつに関し、特に改良された紙おむつの前部の付属的な複合構造体に関するものである。
【背景技術】
【０００２】
現在、伝統的なおむつが次第に一度限りの紙おむつに取って代わられる。一度限りの紙おむつが携帯が便利であり、洗浄する必要はないし、取り替えが簡単であり、きれいである優れた点によって、最近、多くの新生児の両親に好まれている。
【０００３】
従来の紙おむつが表面被覆層、吸収芯層及び バッキングファブリックの三つの主な部分を含む。
【０００４】
表面被覆層は、赤ちゃんの肌に直接触れて、尿が高速で浸透することを促進して、効果的に逆戻りを防止でき、紙おむつの表面をサラサラな状態に保たせる。中国の市場の紙おむつが基本的に不織布という表面材を採用する。不織布が紙おむつの内部の通気性を高めることができ、水蒸気が紙おむつの外部に逃すことができ、適時に湿気及び熱気を排出でき、効果的にかぶれを防ぐことができ、柔らかく、心地よく、皮膚を刺激しない。
【０００５】
吸収芯層は、尿をキャッチして高速に吸収して、尿を分散する、又は毛細管現象で尿を芯層に拡散して、尿を吸収して固めることができる。市場の紙おむつの吸収芯層が主に純粋であるパルプ（綿毛状パルプ）及び高吸水性樹脂（ＳＰＡ）からなる層状の構造体である。
【０００６】
外国の多くの紙おむつのバッキングファブリックが、感覚がもっと快適である不織布を使用するが価格が高いので、国内の紙おむつのバッキングファブリックは、依然として主にポリエチレンフィルム（ＰＥフィルム）からなる。
【考案の概要】
【考案が解決しようとする課題】
【０００７】
左と右との前部の付属的な構造体の接続及び固定に用いられた構造が、一般的に、フックとループを有するクロース又はフランネルクロース（ｆｌａｎｎｅｌ  ｃｌｏｔｈ）の面ファスナー及び、滑らかな表面を有するプラスチックフィルムと接着剤が複合されたプラスチックフィルムを使用する。これらの面ファスナーが接着剤で複合されるので、環境に影響を及ぼして、材料の価格が高い。価格が安い紙おむつが圧点不織布を使用する。この不織布の面ファスナーの材質が厚く、重くて、性質が硬いので、使用者が快適ではないと感覚する。面ファスナーがしっかりと接着できなくて、緩みやすいのみならず、落ちやすい。プラスチックフィルム及び接着剤が複合されたプラスチックフィルムを使用した面ファスナーのプラスチックの片隅が赤ちゃんの肌につき傷をおわせやすい。その上に、紙おむつの テープ止めが繰り返して開ける必要があるので、使用する効果を保証するために、厚いプラスチックフィルム、又はプラスチックフィルムと繊維層とが複合された材料を採用しなければならない。これにより、コストが高めて、使用者が快適ではないと感覚する。
【０００８】
本考案は、従来技術の上記問題を解決するために、軽薄に、環境によく、しっかりと接続でき、コストが低い優れた点を有する紙おむつを提供する。
【課題を解決するための手段】
【０００９】
本考案は、紙おむつの前部の付属的な複合構造体を提供する。紙おむつの前部の付属的な複合構造体が高分子フィルムが複合して形成されたサブストレート層（ｓｕｂｓｔｒａｔｅ  ｌａｙｅｒ）及び面ファスナーのフックを含み、サブストレート層の表面に熱可塑性ポリマーからなる繊維層が複合される。高分子フィルムが複合して形成されたサブストレート層が軽薄、柔軟、通気の特性を有する。熱可塑性ポリマーの製織繊維又は非製織繊維からなる繊維層は、手触りが柔らかく、面ファスナーのフックとしっかりと接続できる。
【００１０】
本考案は、更に下記のような特徴の一つ又はそれらの組み合わせを含む。
【００１１】
繊維層が、熱可塑性ポリマーで合成された製織繊維又は非製織繊維からなる。
【００１２】
繊維層が、熱可塑性ポリマーで合成された繊維細糸からなり、繊維細糸が連続して合成された長い細糸であることが好ましく、連続して合成された長い細糸が紡糸繊維及び多重より線の繊維を含む。
【００１３】
もっと優れた支持作用を有するために、サブストレート層の表面に多くの凸部が設置され、これらの凸部の分布密度が３万〜６万個／ｍ２であることが好ましく、これらの凸部の形状が同じでもよく、同じでなくてもよい。
【００１４】
触る手触りをもっと良くならせ、面ファスナーのフックと接続するのをもっとしっかりとならせるために、サブストレート層の表面の凸部に複合された繊維層をふわふわする状態に設置して、隣接する凸部の間に形成された凹部に複合された繊維層を緊密に接着する状態に設置して、面ファスナーのフックが凹部の繊維層に触る時には、接着がもっと緊密になり、凸部の繊維層が手触りにもっと柔らかく、快適にならせる。
【００１５】
製品の外観を豊富にして、赤ちゃんの好きに迎合するために、サブストレート層が透明層に設置され、サブストレート層にいろいろな漫画の図案が印刷される。
【００１６】
サブストレート層の表面に設置された凸部が正方形、長方形、円形、楕円形、三角形又は菱形等の幾何学構造に設置され、サブストレート層の表面に設置された凸部が規則的に配列されてもよく、又は不規則的に配列されてもよい。サブストレート層の表面に設置された凸部が規則的に配列される場合には、縦向が品という字によって配列されるのが好ましく、横方向が直線によって配列され、左と右が４５°を成す斜線によって配列され、凸部の長さが２〜５ｍｍであり、幅が２〜５ｍｍであり、高さが１〜３ｍｍであり、サブストレート層は、透明であってもよく、透明ではなくてもよく、図案が印刷される。
【００１７】
本考案から提供される紙おむつの前部の付属的な複合構造体が伝統的な前部の付属的な構造体と比べて、両層の材料からなる構造体を採用して、表面層の連続して合成された長い細糸からなる繊維層と融合する役割を果たす高分子フィルムのサブストレート層との間に、接着剤で接着する必要はないので、軽薄で、環境によく、手触りが快適であり、面ファスナーのフックとしっかりと接続でき、コストが低い優れた点を有する。
【図面の簡単な説明】
【００１８】
【図１】本考案の実施形態における凸部の形状が正方形である平面の構造を示す図である。
【図２】図１の横方向の断面の構造を示す図である。
【図３】図１の縦向の断面の構造を示す図である。
【図４】図１の立体構造を示す図である。
【図５】本考案の実施形態における凸部の形状が菱形である平面の構造を示す図である。
【図６】図５の立体構造を示す図である。
【図７】本考案の実施形態における凸部の形状が細長い形である平面の構造を示す図である。
【図８】本考案の実施形態における凸部の形状が長方形である平面の構造を示す図である。
【図９】本考案の実施形態における凸部が品という字によって配列される平面の構造を示す図である。
【図１０】図９の立体構造を示す図である。
【考案を実施するための形態】
【００１９】
本考案の目的、技術方案及び優れた点をもっとはっきりとならせるために、次に図面を参照して、本考案の実施形態について詳しく説明する。
【００２０】
図１〜図１０を参照すると、本考案の実施形態における紙おむつの前部の付属的な複合構造体は、高分子フィルムが複合して形成されたサブストレート層２、サブストレート層２の表面に複合された熱可塑性ポリマーの製織繊維又は非製織繊維からなる繊維層４及び、繊維層４に接着された面ファスナーのフック（図に示せず）を含む。もっと優れた支持作用を有するために、サブストレート層２の表面に多くの凸部１が設置される。これらの凸部１は分布密度が３万〜６万個／ｍ２であり、形状が同じでもよく、同じでなくてもよい。触る手触りをもっと良くならせ、面ファスナーのフックと接続するのをもっとしっかりとならせるために、サブストレート層２の表面の凸部１に複合された繊維層４をふわふわする状態に設置して、隣接する凸部１の間に形成された凹部３に複合された繊維層４を緊密に接着する状態に設置する。これによって、面ファスナーのフックが凹部３の繊維層４に触る時には、接着がもっと緊密になる。凸部１の繊維層４のふわふわする状態が、手触りにもっと柔らかく、快適にならせる。高分子フィルムが複合して形成されたサブストレート層２が軽薄、柔軟、通気の特性を有する。熱可塑性ポリマーの製織繊維又は非製織繊維からなる繊維層４は、手触りが柔らかく、面ファスナーのフックとしっかりと接続できる。繊維層４が多くの熱可塑性ポリマーで合成された繊維細糸からなり、繊維細糸が連続して合成された長い細糸であることが好ましい。連続して合成された長い細糸が紡糸繊維（ｓｐｉｎｎｉｎｇ  ｆｉｂｅｒｓ）及び多重より線の繊維（ｍｕｌｔｉ-ｓｔｒａｎｄ  ｆｉｂｅｒｓ）を含む。
【００２１】
製品の外観を豊富にして、赤ちゃんの好きに迎合するために、サブストレート層２を透明層に設置して、サブストレート層２にいろいろな漫画の図案を印刷する。サブストレート層２の表面に設置された凸部１が正方形、長方形、円形、楕円形、三角形又は菱形等の幾何学構造に設置される。サブストレート層２の表面に設置された凸部１が規則的に配列されてもよく、又は不規則的に配列されてもよい。ある実施形態において、サブストレート層２の表面に設置された凸部１が規則的に配列される場合には、縦向が品という字によって配列されるのが好ましく、横方向が直線によって配列され、左と右が４５°を成す斜線によって配列される。凸部の長さが２〜５ｍｍであり、幅が２〜５ｍｍであり、高さが１〜３ｍｍである。サブストレート層２が透明であってもよく、透明ではなくてもよく、図案が印刷される。
【００２２】
本考案から提供される紙おむつの前部の付属的な複合構造体が伝統的な前部の付属的な構造体と比べて、両層の材料からなる構造体を採用して、表面層の連続して合成された長い細糸からなる繊維層４と融合する役割を果たす高分子フィルムのサブストレート層２との間に、接着剤で接着する必要はないので、軽薄で、環境によく、手触りが快適であり、面ファスナーのフックとしっかりと接続でき、コストが低い優れた点を有する。
【００２３】
上記のような実施形態が本考案の技術構想及び特徴を説明するだけであり、その目的が当業者に本考案の内容をよく分からせ、本考案の内容によって実施できることであり、これで本考案の保護範囲を制限することができない。当業者にとって、本考案の実質及び精神から遊離しない範囲において、いろいろな更正及び変形を行なうことができ、これらが本考案の保護範囲に属する。
【図１】
0003204338.tif 000003
【図２】
0003204338.tif 000004
【図３】
0003204338.tif 000005
【図４】
0003204338.tif 000006
【図５】
0003204338.tif 000007
【図６】
0003204338.tif 000008
【図７】
0003204338.tif 000009
【図８】
0003204338.tif 000010
【図９】
0003204338.tif 000011
【図１０】
0003204338.tif 000012